(57)【要約】【課題】立体像を表示できるようにする。【解決手段】内部に回転軸を有する円筒状の回転部と、回転軸を回転中心として、回転部を回転させる駆動部と、回転部の内部に取り付けられ、複数の発光素子がマトリクス状に配設されることにより形成された発光面を有する発光素子アレイと、発光素子アレイに表示された画像を反射する反射部と、反射部に対向する位置において、回転部の周面に設けられたスリットとを備え、反射部により反射された反射光は、スリットを介して回転部の外部に放射された光がユーザに提供されることで、画像が提供される。本技術は、立体像を表示する表示装置に適用できる。【選択図】図７
2013015685.tif 000002
【特許請求の範囲】
【請求項１】
回転軸を有する回転部と、
前記回転軸を回転中心として、前記回転部を回転させる駆動部と、
前記回転部に取り付けられ、複数の表示素子が配設される表示部と、
前記表示部から出射される表示光を反射する反射部と、
前記反射部に対向する位置において、前記回転部の周面に設けられたスリットと
を備え、
前記表示光は、前記反射部と前記スリットとを介して前記回転部の外部に放射される
表示装置。
【請求項２】
前記表示部は、略平面形状に構成される
請求項１に記載の表示装置。
【請求項３】
前記反射部は、複数の鏡で構成される
請求項１に記載の表示装置。
【請求項４】
前記回転部は円筒状である
請求項１に記載の表示装置。
【請求項５】
ユーザの視点を検出する検出部をさらに備え、
前記検出部により検出された前記視点が移動したと判断される場合、移動先の視点に適した画像が前記表示部に表示されるように、前記表示部の表示が切り換えられる
請求項１に記載の表示装置。
【発明の詳細な説明】
【技術分野】
【０００１】
本技術は、立体像表示装置に関する。詳しくは、立体像を表示するのに適した立体像表示装置に関する。
【背景技術】
【０００２】
被写体を全周囲に渡って撮像したり、コンピュータにより作成したりした立体画像表示用の２次元映像情報等に基づいて被写体の全周囲に渡る立体画像を再生する光線再生方式の立体像表示装置に関しての提案がなされている。
【０００３】
特許文献１には、立体画像表示装置が開示されている。この立体画像表示装置によれば、光線束割り当て手段及び円筒状の２次元パターン表示手段を備える。光線束割り当て手段は、観測者から見て凸状の曲面を有する表示部の前面あるいは背面に設けられる。当該手段は、複数の開口部が形成されるか、あるいは、レンズがアレイ状に形成された曲面を有し、開口部あるいはレンズのそれぞれに表示部の複数の画素からの光線束が割り当てられる。２次元パターン表示手段は、２次元パターンを表示部に表示するようになされる。
【０００４】
この立体画像表示装置によれば、フルモーション動画表示が容易な立体画像の画像マッピングを効率的に実行することができ、視点位置を変えても立体画像が破綻することなく、かつ、高い解像度で立体画像を表示できるというものである。
【先行技術文献】
【特許文献】
【０００５】
【特許文献１】特開２００４−１７７７０９号公報
【発明の概要】
【発明が解決しようとする課題】
【０００６】
特許文献１に見られる立体画像表示装置によれば、観測者から見て凸状の曲面を有する表示部の前面あるいは背面に設けられ、複数の開口部が形成されるか、あるいは、レンズがアレイ状に形成された曲面を有する光線束割り当て手段を備える。開口部あるいはレンズのそれぞれに表示部の複数の画素からの光線束が割り当てられるので、実用的な画質が得られない可能性が有り、画質の向上が望まれている。
【０００７】
立体像を提供する際、立体表示機構を複雑化することなく、立体画像を全周囲から再現性良く視認できるようにすることが望まれている。
【０００８】
本技術は、このような状況に鑑みてなされたものであり、立体像をユーザに提供し、その立体像を再現性良く視認できるようにすることができるようにするものである。
【課題を解決するための手段】
【０００９】
本技術の一側面の立体像表示装置は、回転軸を有する回転部と、前記回転軸を回転中心として、前記回転部を回転させる駆動部と、前記回転部に取り付けられ、複数の表示素子が配設される表示部と、前記表示部から出射される表示光を反射する反射部と、前記反射部に対向する位置において、前記回転部の周面に設けられたスリットとを備え、前記表示光は、前記反射部と前記スリットとを介して前記回転部の外部に放射される。
【００１０】
前記表示部は、略平面形状に構成されるようにすることができる。
【００１１】
前記反射部は、複数の鏡で構成されるようにすることができる。
【００１２】
前記回転部は円筒状であるようにすることができる。
【００１３】
ユーザの視点を検出する検出部をさらに備え、前記検出部により検出された前記視点が移動したと判断される場合、移動先の視点に適した画像が前記表示部に表示されるように、前記表示部の表示が切り換えられるようにすることができる。
【００１４】
本技術の一側面の立体像表示装置においては、回転軸を有する回転部と、回転軸を回転中心として、回転部を回転させる駆動部と、回転部に取り付けられ、複数の表示素子が配設される表示部と、表示部から出射される表示光を反射する反射部と、反射部に対向する位置において、回転部の周面に設けられたスリットとが備えられる。そして、表示光は、反射部とスリットとを介して回転部の外部に放射される。
【発明の効果】
【００１５】
本技術によれば、立体像をユーザに提供し、その立体像を再現性良く視認できるようにすることができる。またコストを低減できる構成とすることができる。
【図面の簡単な説明】
【００１６】
【図１】第１の実施の形態における表示装置の構成を示す図である。
【図２】表示装置の内部構成を示す図である。
【図３】２次元発光素子アレイの構成について説明するための図である。
【図４】２次元発光素子アレイの構成について説明するための図である。
【図５】表示装置の動作について説明するための図である。
【図６】画像の提供の仕方について説明するための図である。
【図７】第２の実施の形態における２次元発光素子アレイの構成について説明するための図である。
【図８】２次元発光素子アレイの構成について説明するための図である。
【図９】有効視点範囲について説明するための図である。
【図１０】表示される画像と提供される画像について説明するための図である。
【図１１】表示装置の動作について説明するための図である。
【図１２】表示装置の動作について説明するための図である。
【図１３】視点の検出について説明するための図である。
【図１４】有効視点範囲の再設定について説明するための図である。
【発明を実施するための形態】
【００１７】
以下に、本技術の実施の形態について図面を参照して説明する。
【００１８】
［立体像表示装置の構成について］
図１は、立体像表示装置１０の構成例を示す斜視図である。また、図２は、立体像表示装置１０の組立例を示す斜視図である。図１および図２を参照し、立体像表示装置１０の構造について説明する。立体像表示装置１０は、３次元で動画像や静止画像をユーザに提供する。また、３次元に係わらず、２次元の動画像や静止画像をユーザに提供することもできる。以下の説明においては、立体像表示装置１０は、被写体を全周囲に渡って撮像したり、コンピュータにより作成されたりした立体画像表示用の２次元映像情報等（以下単に映像データDinという）に基づいて被写体の全周囲に渡る立体像を再生するものである場合を例に挙げて説明をする。
【００１９】
図１、図２に示す立体像表示装置１０は、光線再生方式の立体像表示装置の一例を構成し、２次元発光素子アレイ１０１、スリット付きの回転部１０４及び駆動機構付きの設置架台１０５を備えている。回転部１０４は、スリット付きの外装体４１及び、吸気口付きの回転台４２を有する。回転台４２上には、外装体４１が取り付けられる。回転台４２は、円盤状を成しており、その中心位置には回転軸１０３が設けられている。
【００２０】
回転軸１０３は、回転台４２の回転中心とされる。また、回転軸１０３は、外装体４１の回転中心にもなされている。以下の説明において、回転部１０４の回転軸１０３との記載をするが、回転軸１０３は、回転台４２と外装体４１の回転軸である。
【００２１】
回転台４２の所定の位置には吸気口１０６が設けられ、外装体４１の内側へ空気を取り込むように構成されている。回転台４２上の外装体４１の内側には、所定の形状を有した１以上の２次元発光素子アレイ１０１が備えられている。２次元発光素子アレイ１０１は、例えば、ｍ行×ｎ列個の発光素子がマトリクス状に配列されたものである。発光素子には、発光ダイオードや、レーザダイオード、有機ＥＬなどの自発光素子を用いることができる。
【００２２】
２次元発光素子アレイ１０１は、回転部１０４の回転に応じて複数の発光素子が発光し、かつ、立体画像用の映像データDinに基づいて発光制御されるようになっている。２次元発光素子アレイ１０１は、例えば、プリント配線基板を湾曲状（例えば円弧状）に切り欠いた小口面に、複数の発光素子をライン状に配設（実装）した１次元発光素子基板＃１を回転軸１０３に沿って複数枚積層した積層構造を有する。このように構成すると、曲面形状（例えば円弧状）の発光面を有した２次元発光素子アレイ１０１を容易に構成できるようになる。この形態を、第１の実施の形態として説明する。
【００２３】
回転台４２上の２次元発光素子アレイ１０１を覆うように取り付けられた外装体４１は、所定の口径φ及び所定の高さＨを有した円筒状で構成されている。外装体４１の周面の所定の位置にはスリット１０２が設けられる。スリット１０２は、外装体４１の周面において、回転軸１０３に平行する方向に穿設され、２次元発光素子アレイ１０１の発光面の前方に固定され、光の放射角度を所定の範囲に制限する。
【００２４】
外装体４１の天板部位はファン構造とされ、回転台４２の吸気口１０６から取り入れた冷却用の空気を外部へ排気するように構成される。例えば、外装体４１の天板部位（上部）に、冷却用の羽根部材の一例となるブレード等のわずかなファン部１０７（排気口）が設けられ、回転動作を利用して空気の流れが作り出され、２次元発光素子アレイ１０１やその駆動回路から発生する熱が強制排気される。
【００２５】
設置架台１０５は、回転台４２を回転自在に支持する部分である。設置架台１０５の上部には、図示しない軸受け部が設けられる。軸受け部は回転軸１０３を回転自在に係合すると共に、回転部１０４を支持する。設置架台１０５の内部にはモータ５２が設けられ、回転台４２を所定の回転（変調）速度で回転するように構成される。例えば、回転軸１０３の下端には、直結方式のＡＣモータ等が係合される。モータ５２は、回転力を回転軸１０３に直接伝達し、回転軸１０３が回転することで、回転部１０４が所定の変調速度で回転される構成とされる。
【００２６】
図１、図２に示した方式においては、回転部１０４に対して電力や映像データDinを送る際に、スリップリング５１を介して送られる。スリップリング５１は、固定側部品と回転側部品とに区分される。回転側部品は回転軸１０３に取り付けられる。固定側部品にはハーネス５３（配線ケーブル）が接続される。回転側部品には他のハーネス５４を介して２次元発光素子アレイ１０１が接続される。固定側部品と回転側部品との間は、図示しない摺動子が環状体に電気的に接触する構造となされている。摺動子は固定側部品または回転側部品を構成し、環状体は回転側部品または固定側部品を構成する。この構造により、設置架台１０５内において、外部から供給される電力や映像データDinが、スリップリング５１を介して２次元発光素子アレイ１０１に伝送されるようになる。
【００２７】
図３は、１次元発光素子基板＃１の構成例を示す図である。１次元発光素子基板＃１は、図示しない銀箔基板をパターニングして配線パターンを形成し、配線パターンが形成されたプリント配線基板３１の外観をＹ形状に切断し、その内側を湾曲状（例えば円弧状）に切り欠くことで形成されている。
【００２８】
この例では、湾曲状部位の反対側に配線構造のコネクタ３４が形成される。さらに、１次元発光素子基板＃ｋのプリント配線基板３１の両辺に位置決め用の孔部３２，３３が形成される。外観がＹ形状に、その内側が湾曲状に切り欠かれたプリント配線基板３１にシリアルパラレル変換用とドライバ用のＩＣ３５（半導体集積回路装置）が実装される。次いで、ＩＣ３５が実装されたプリント配線基板３１の湾曲状の織部または小口面に、ｊ行個の発光素子２０ｊがライン状に配設される。さらにライン状のレンズ部材１０９が発光素子２０ｊの前面に配設されて１次元発光素子基板＃１（基板）が形成される。
【００２９】
このような１次元発光素子基板＃１がｎ枚分だけ準備される。ｎ枚の１次元発光素子基板＃１を積層してｍ行×ｎ列の２次元発光素子アレイ１０１を形成するためである。図４は、ｋ枚の１次元発光素子基板＃ｋ（ｋ＝１〜ｎ）の積層例を示す斜視図である。この例では、１次元発光素子基板＃ｋを必要な枚数だけ積層して、ｊ行個の発光素子２０ｊをライン状に配設した曲面形状の２次元発光素子アレイ１０１が製造される。
【００３０】
このようにして構成される２次元発光素子アレイ１０１は、図２に示した回転部１０４の所定の位置、この例では、回転台４２上に取り付けられる。このとき、回転台４２上に突出する棒状の位置決めピン８３に、ｋ枚の１次元発光素子基板＃ｋのプリント配線基板の孔部が差し込まれると、各々の１次元発光素子基板＃ｋが自己整合的に位置決めされた状態とされる。この状態が維持されるように、ｋ枚の１次元発光素子基板＃１〜＃ｎが回転軸１０３に沿って積層されるように取り付けられる。
【００３１】
この例では、所定の基板に実装された接続基板１１が、回転台４２上に立設される。接続基板１１には、１次元発光素子基板＃１〜＃ｎの配線構造のコネクタと接続するための差し込み構造のコネクタが設けられる。上述の接続基板１１の差し込み構造のコネクタに１次元発光素子基板＃１〜＃ｎの配線構造のコネクタが嵌合され、ｋ枚の１次元発光素子基板＃１〜＃ｎが接続基板１１に接続される。
【００３２】
また、曲面形状の発光面（凹面側）がスリット１０２の位置に向くように、回転部１０４の回転軸１０３と、外装体４１のスリット１０２との間に２次元発光素子アレイ１０１が配置される。２次元発光素子アレイ１０１は、スリップリング５１の回転側部品からのハーネス５４に接続される。視聴者検出センサ８１が、外装体４１の内部から外部を見通せる位置に取り付けられている。視聴者検出センサ８１は、アーム部材８２を介して上述の接続基板１１に取り付けられる。視聴者検出センサ８１はアーム部材８２の一端に取り付けられ、モータ５２によって回転される回転部１０４の外部で、当該立体像を視聴する視聴者を検出して、視聴有無を判別する際に使用されるようにすることができるが、このような検出が必要ない場合には、視聴者検出センサ８１を備えない構成とすることもできる。
【００３３】
回転台４２上に２次元発光素子アレイ１０１が取り付けられると、回転台４２上の２次元発光素子アレイ１０１を覆うように外装体４１が取り付けられる。このとき、２次元発光素子アレイ１０１の発光面の前方にスリット１０２が固定されることで、光の放射角度を所定の範囲に制限できるようになる。これにより、外装体４１の周面のスリット１０２と、その内側の２次元発光素子アレイ１０１とにより発光ユニットＵＩを構成できるようになる。
【００３４】
他方で、回転台４２を回転自在に支持するための設置架台１０５が作成される。この例で、設置架台１０５の上部にスリップリング５１を設けると共に、図示しない軸受け部が実装される。軸受け部は回転軸１０３を回転自在に係合する共に、回転部１０４を支持するようになる。設置架台１０５内にはスリップリング５１の他に、モータ５２や制御部５５、Ｉ／Ｆ基板５６、電源部５７等が実装される。モータ５２は、回転軸１０３に直結される。
【００３５】
制御部５５及び電源部５７はハーネス５３を介してスリップリング５１の固定側部品に接続される。これにより、設置架台１０５内において、外部から供給される電力や映像データD１nが、スリップリング５１を介して２次元発光素子アレイ１０１に伝送できるように構成される。設置架台１０５が準備できたら、２次元発光素子アレイ１０１が取り付けられた回転部１０４が設置架台１０５に取り付けられる。これにより、立体像表示装置１０が完成する。
【００３６】
図５は、立体像表示装置１０の動作例を示す回転軸方向から見下ろした複式図である。図中、レンズ部材１０９は省略している。図５に示す立体像表示装置１０は光線再生方式を採用しており、回転部１０４が回転軸１０３を回転中心として矢印Ｒ（図１参照）の方向に、あるいは、その逆の方向に回転する構造となっている。
【００３７】
立体像表示装置１０では、２次元発光素子アレイ１０１の発光面の前方の外装体４１に、回転軸１０３に平行なスリット１０２が設けられ、２次元発光素子アレイ１０１から出射した光が、このスリット部位以外から漏れない構造を採っている。このスリット構造により、２次元発光素子アレイ１０１の各発光素子２０１〜２１２から出射された光がスリット１０２より左右方向の放射角度が大きく制限される。
【００３８】
この例では、発光素子２０１〜２１２の数をｍ＝１２行個としているが幾つでもよい。この１２個の発光素子２０１〜２１２によって、回転軸１０３を基準にして結像する立体画像の光は、回転部１０４の内部からスリット１０２を介して外部へ漏れ出るようになる。ここで、１２個の発光素子２０１〜２１２の各々と、スリット１０２と結んだ各々の方向をベクトルで示すことにする。
【００３９】
発光素子２０１とスリット１０２と結んだ線分が示す方向を、当該発光素子２０１からスリット１０２を介して漏れ出た光の方向とする。以後、この方向を“ベクトル２０１Ｖ方向”と記述する。以下、同様にして、発光素子２０２とスリット１０２と結んだ線分が示す方向を、発光素子２０２からスリット１０２を介して漏れ出た光の方向とする。この方向を“ベクトル２０２Ｖ方向”と記述する。例えば、発光素子２０１から出力された光は、スリット１０２を通過してベクトル２０１Ｖ方向に放射される。発光素子２０２から出力された光は、スリット１０２を通過してベクトル２０２Ｖ方向に放射される。
【００４０】
このように、各発光素子２０１〜２１２の光が各々違った方向に放射されるため、スリット１０２で規制される縦１ライン分の光線再生が可能となっている。こうしたスリット構造の回転部１０４を視点ｐに対して回転走査することで、円筒形状の光線再生面を形成できるようになる。さらに、視点ｐに対する回転走査の角度に応じて、外部からの映像データDin、あるいは、回転部内部のＲＯＭ等の記憶装置からの映像データDinを２次元発光素子アレイ１０１の発光ユニットＵＩに反映することで、任意の再生光線を出力することが可能となる。
【００４１】
図６は、視点ｐから観察される発光点の軌跡例を示す図である。発光ユニットＵＩを有する回転部１０４が等速で回転され、視点ｐ＝３００に対して回転走査される場合、視点３００から観測される発光素子が時間Ｔの間隔で発光素子２０１から順に発光素子２０２，２０３，・・・２１２と移って行く。
【００４２】
発光点の軌跡（図中の黒小丸印）が、例えば平面を成して見える構造は、２次元発光素子アレイ１０１の発光面形状とスリット１０２の位置を調整することで実現される。例えば、図６Ａに示す時刻ｔ＝０において、視点３００でスリット１０２を介して２次元発光素子アレイ１０１を観察すると、発光素子２０１から漏れ出る光が観測される。図６Ｂに示す時刻ｔ＝Ｔにおいて、視点３００でスリット１０２を介して２次元発光素子アレイ１０１を観察すると、発光素子２０２から漏れ出る光が観測される。図中の右側から第１番目の白抜きの小丸印は、発光素子２０１の発光点を示している。
【００４３】
図示はしないが、時刻ｔ＝２Ｔにおいて、視点３００でスリット１０２を介して２次元発光素子アレイ１０１を観察すると、発光素子２０３から漏れ出る光が観測され、ｔ＝３Ｔにおいて、発光素子２０４から漏れ出る光が観測され、ｔ＝４Ｔにおいて、発光素子２０５から漏れ出る光が観測され、ｔ＝５Ｔにおいて、発光素子２０６から漏れ出る光が観測される。さらにｔ＝６Ｔにおいて、発光素子２０７から漏れ出る光が観測され、ｔ＝７Ｔにおいて、発光素子２０８から漏れ出る光が観測され、ｔ＝８Ｔにおいて、発光素子２０９から漏れ出る光が観測され、ｔ＝９Ｔにおいて、発光素子２１０から漏れ出る光が観測される。
【００４４】
このように時間が経過し、図６Ｃに示す時刻ｔ＝１０Ｔになり、視点３００でスリット１０２を介して２次元発光素子アレイ１０１を観察すると、発光素子２１１から漏れ出る光が観測される。同様に図６Ｄに示す時刻ｔ＝１１Ｔにおいて、視点３００でスリット１０２を介して２次元発光素子アレイ１０１を観察すると、発光素子２１２から漏れ出る光が観測される。
【００４５】
このように、時間経過とともに、順次、発光素子２０１から２１２までの光が観測されるため、図６Ｄに示したように、白抜きの小丸印が横１列に並んでいる部分に像が映し出され、ユーザは、その像を観測することができる。このような構成の立体像表示装置１０においては、上述したように、回転により視点を生成し（ポイント１）、情報伝搬の指向性により視差を生成し（ポイント２）、高速一括駆動の発光素子アレイを用いる（ポイント３）ことで、立体像の表示を可能としている。
【００４６】
次に、ポイント１乃至３をおさえつつも、コストを低減させた２次元発光素子アレイについて説明する。以下の説明においては、２次元発光素子アレイ１０１の構成を変え、他の構成は、基本的に第１の実施形態と同じく構成することが可能であるため、第１の実施の形態と同様の部分に関しては、説明や図示を省略する。
【００４７】
［第２の実施の形態について］
図７は、第２の実施の形態における２次元発光素子アレイの構成を示す図である。図７は、立体像表示装置１０を上（または下）側から見たときの図である。外装体４１には、スリット１０２が設けられており、その外装体４１の内部に、２次元発光素子アレイ５００と、鏡５１１、鏡５１２、および鏡５１３の３枚の鏡が設けられている。
【００４８】
２次元発光素子アレイ５００は、平面形状で構成され、第１の実施の形態における２次元発光素子アレイ１０１のような湾曲した構成ではない。２次元発光素子アレイ５００には、液晶ディスプレイや有機ＥＬディスプレイなど、平面のディスプレイを用いることができる。平面のディスプレイは、既に生産されている液晶ディスプレイや有機ＥＬディスプレイなどを用いることができるため、コストを低減させることが可能となる。
【００４９】
また、２次元発光素子アレイ５００の発光素子の数は、第１の実施の形態における２次元発光素子アレイ１０１の発光素子の数よりも少ない数で構成される。例えば、図６を参照して説明したように、２次元発光素子アレイ１０１の発光素子が、発光素子２０１乃至２１２の１２個の発光素子から構成される場合、２次元発光素子アレイ５００は、４個の発光素子で構成することが可能である。このように、１／３程度の発光素子数で構成することが可能となる。この理由については、後述する。
【００５０】
図７に示した立体像表示装置１０においては、鏡は３個備えられている。鏡５１１乃至５１３は、第１の実施の形態における２次元発光素子アレイ１０１が備えられていた位置とほぼ同じ位置に備えられている。これらの鏡５１１乃至５１３は、それぞれ、２次元発光素子アレイ５００で表示された画像を反射するように構成されている。この反射された画像が、外装体４１のスリット１０２を介して、外部に漏れ出る光として観測される。
【００５１】
このように、第２の実施の形態における立体像表示装置１０は、内部に回転軸１０３を有する円筒状の回転部１０４と、回転軸１０３を回転中心として、回転部１０４を回転させるモータ５２と、回転部１０４の内部に取り付けられ、複数の発光素子がマトリクス状に配設されることにより形成された発光面を有する２次元発光素子アレイ５００と、発光素子アレイ５００に表示された画像を反射する鏡５１１乃至５１３と、鏡５１１乃至５１３に対向する位置において、回転部１０４の周面に設けられたスリット１０２を備えた構成とされている。そして、鏡５１１乃至５１３により反射された反射光は、スリット１０２を介して回転部１０４の外部に放射される構成とされている。
【００５２】
また、２次元発光素子アレイ５００は、平面形状に構成されている。さらに鏡５１１乃至５１３の３枚の鏡で、２次元発光素子アレイ５００に表示された画像を反射する構成とされている。
【００５３】
第１の実施の形態では、２次元発光素子アレイ１０１からの光が直接的にユーザに提供される構造とされていたのに対して、第２の実施の形態においては、２次元発光素子アレイ５００からの光は鏡５１１乃至５１３を介して間接的にユーザに提供される構造とされている点が異なる。
【００５４】
比較のために、図８に、第１の実施の形態における２次元発光素子アレイ１０１と、第２の実施の形態における２次元発光素子アレイ５００を図示する。図８Ａに示したように、２次元発光素子アレイ１０１は、湾曲形状に構成され、２次元発光素子アレイ１０１からの光はスリット１０２を介して外装体４１外に漏れ出すように構成されている。
【００５５】
また、図８Ａに示すように、２次元発光素子アレイ１０１が回転していない状態において、２次元発光素子アレイ１０１からの光は、角度θ０の広がりを有して漏れ出す。換言すれば、角度θ０の範囲内であれば、２次元発光素子アレイ１０１からの光を観測でき、画像を見ることができる。このような範囲を、適宜、有効視点範囲と記述し、２次元発光素子アレイ１０１の有効視点範囲は、有効視点範囲θ０と記述する。
【００５６】
図８Ｂに示したように、２次元発光素子アレイ５００は、平面形状に構成され、２次元発光素子アレイ５００からの光は、鏡５１１乃至５１３により反射され、その反射光がスリット１０２を介して外装体４１外に漏れ出すように構成されている。２次元発光素子アレイ５００からの光は、鏡５１１に反射され、有効視点範囲θ１を作り出す。同様に、２次元発光素子アレイ５００からの光は、鏡５１２に反射され、有効視点範囲θ２を作り出す。さらに同様に、２次元発光素子アレイ５００からの光は、鏡５１３に反射され、有効視点範囲θ３を作り出す。
【００５７】
２次元発光素子アレイ５００と鏡５１１乃至５１３の各鏡の大きさによるが、２次元発光素子アレイ５００の発光素子の数を、２次元発光素子アレイ１０１の１／３の数にした場合、θ０＝θ１＋θ２＋θ３となる。なお、ここでは、等しいとして説明を続けるが、ほぼ等しい場合も含まれる。また、ここでは３枚の鏡が設置されている場合を例に挙げて説明するが、３枚以外の枚数の鏡が設置された場合など、その枚数や大きさに応じた有効視点範囲が作り出される。
【００５８】
鏡５１１乃至５１３のそれぞれで反射される２次元発光素子アレイ５００で発光されている画像は同じであるため、有効視点範囲θ１内で見える画像、有効視点範囲θ２内で見える画像、および有効視点範囲θ３内で見える画像は、同じ画像である。この点からは、有効視点範囲は、有効視点範囲θ１、有効視点範囲θ２、または有効視点範囲θ３のうちのいずれか１つの範囲が有効な視点の範囲となる。
【００５９】
図８Ａに示した２次元発光素子アレイ１０１において１枚の画像が有効視点範囲θ０で提供される場合、換言すれば、図６を参照して説明したように２次元発光素子アレイ１０１の発光素子２０１乃至２１２で順次、視点３００に対して画像の一部分が提供され続けることにより、１枚の画像が提供される場合を考える。この場合と同じ画像が、図８Ｂに示した２次元発光素子アレイ５００で提供される場合、１つの有効視点範囲内では、１／３の画像が提供されることになる。
【００６０】
よって、図８Ｂに示した２次元発光素子アレイ５００の場合、例えば、有効視点範囲θ３内に視点５５１において、まずユーザに、画像の左側領域の１／３が提供される。２次元発光素子アレイ５００が回転されることで、視点５５１が有効視点範囲θ３内から有効視点範囲θ２内に切り替わると、画像の中央領域の１／３が提供される。さらに、２次元発光素子アレイ５００が回転されることで、視点５５１が有効視点範囲θ２内から有効視点範囲θ１内に切り替わると、画像の右側領域の１／３が提供される。このようにして、１枚の画像が提供される。ここでは、有効視点範囲θ３内の視点５５１を例に挙げて説明したが、他の有効視点範囲内の視点においても、同様に、１／３ずつ画像が提供されることで、１枚の画像が提供される。
【００６１】
このようなことから、図８Ａに示した２次元発光素子アレイ１０１においては、有効視点範囲内θ０内の視点に対しては、どの視点においても１枚の画像を提供することができる。これに対して、図８Ｂに示した２次元発光素子アレイ５００においては、有効視点範囲θ１、有効視点範囲θ２、有効視点範囲θ３のうちのいずれかの有効視点範囲の視点に対して、１枚の画像を提供することができる。よって、上記したように、２次元発光素子アレイ５００を適用した場合、有効視点範囲は、有効視点範囲θ１、有効視点範囲θ２、または有効視点範囲θ３のうちのいずれか１つの範囲が有効な視点の範囲となる。
【００６２】
このようなことを図示すると、図９のようになる。図９Ａは、２次元発光素子アレイ１０１で画像を提供するときを示し、全周囲が、有効視点範囲となる。図９Ｂは、２次元発光素子アレイ５００で画像を提供するときを示し、全周囲の１／３が、有効視点範囲となり、残りの２／３が無効視点範囲となる。例えば、有効視点範囲を有効視点範囲θ１（図８）とした場合、無効視点範囲は、有効視点範囲θ２と有効視点範囲θ３となる。なお、ここでの無効視点範囲とは、画像が提供されない範囲という意味ではなく、他の範囲と同一の画像が提供される範囲のことを示す。
【００６３】
次に、２次元発光素子アレイ５００で提供される画像の具体例を挙げ、さらに説明を続ける。図１０Ａは、ユーザに提供したい画像の一例を示している。図１０Ａに示した画像を、像６０１とする。２次元発光素子アレイ５００に、この像６０１を表示した場合、鏡５１１乃至５１３（以下、鏡５１１を代表して記載する）に反射され、その反射された像６０１がユーザに提供されることになる。すなわち、ユーザに提供されるのは、像６０１の左右を反転した、図１０Ｂに示したような画像である。図１０Ｂに示した画像を、反転像６０２とする。
【００６４】
ユーザに対して、像６０１を提供したいのならば、２次元発光素子アレイ５００では、反転像６０２を表示すればよいことになる。２次元発光素子アレイ５００で反転像６０２が表示されると、鏡５１１で反射され、その反射された像は、反転像６０２とは左右が反転された像６０１となる。よって、２次元発光素子アレイ５００に、ユーザに提供したい画像の左右が反転された画像が表示されるように制御される。
【００６５】
図１１と図１２は、時間経過とともに、２次元発光素子アレイ５００に表示される画像と、鏡５１１乃至５１３に表示される画像について説明するための図である。図１１、図１２において、ユーザの視点は、視点６５１にあるとする。また、ユーザに提供したい画像は、図１０Ａに示した像６０１であり、２次元発光素子アレイ５００に表示される画像は、図１０Ｂに示した反転像６０２である場合を例に挙げて説明する。
【００６６】
図１１Ａは、時刻ｔ０において、有効視点範囲θ３の一端に視点６５１が位置している状態である。このとき、２次元発光素子アレイ５００には、反転像６０２の一部分の表示が開始される。図１１Ａに示したように、２次元発光素子アレイ５００の右側に、反転像６０２の一部分が表示される。このとき、鏡５１１乃至５１３には、それぞれ、２次元発光素子アレイ５００に表示されている画像が表示されるが、左右が反転されるため、例えば鏡５１１の左側に反転像６０２の一部分（像６０１の一部分）が表示される状態となる。
【００６７】
図１１Ｂは、時間が経過し、時刻ｔ１になったときの状態を示し、２次元発光素子アレイ５００が回転し、視点６５１が、有効視点範囲θ２の略中央部分に位置している状態を示す。図１１Ｂに示したように、２次元発光素子アレイ５００の全体に、反転像６０２の一部分が表示されている。また反転像６０２の略中央部分が表示されている。時刻ｔ２においては、鏡５１１乃至５１３のそれぞれには、２次元発光素子アレイ５００で表示されている反転像６０２が表示されるため、図１１Ｂの下段に示したように、同じ絵柄が３枚並んだ状態（像６０１の一部分が３枚並んだ状態）となる。
【００６８】
さらに時間が経過すると、図１２Ａに示したような状態となる。図１２Ａは、時刻ｔ２になったときの状態を示し、２次元発光素子アレイ５００が回転し、視点６５１が、有効視点範囲θ２と有効視点範囲θ１とにまたがる位置に位置している状態を示す。図１２Ａに示したように、２次元発光素子アレイ５００の全体に、反転像６０２の一部分が表示されている。図１２Ａに示した状況の場合、視点６５１は、有効視点範囲θ１と有効視点範囲θ２の境界上に位置している。このような場合、有効視点範囲θ１で提供する画像と、有効視点範囲θ２で提供する画像が、２次元発光素子アレイ５００に表示されるため、図１２Ａの上段に示したような画像が表示される。
【００６９】
このような反転像６０２が２次元発光素子アレイ５００に表示されていると、鏡５１１乃至５１３のそれぞれにも、同様の絵柄が表示されるため、図１２Ａの下段に示したような絵柄が表示される状態となる。鏡５１１乃至５１３を１枚の画像として見たとき、その略中央部分には、像６０１の一部分であり、有効視点範囲θ１で提供する画像と有効視点範囲θ２で提供する画像が連続的に表示された画像が、２枚表示され、その両端には、有効視点範囲θ１で提供する画像または有効視点範囲θ２で提供する画像が表示されている。
【００７０】
さらに時間が経過すると、図１２Ｂに示したような状態となる。図１２Ｂは、時刻ｔ３になったときの状態を示し、２次元発光素子アレイ５００が回転し、視点６５１が、有効視点範囲θ１の端の位置に位置している状態である。このとき、２次元発光素子アレイ５００には、反転像６０２の一部分が表示される。図１２Ｂに示したように、２次元発光素子アレイ５００の左側に、反転像６０２の一部分が表示される。このとき、鏡５１１乃至５１３には、それぞれ、２次元発光素子アレイ５００に表示されている画像が表示されるが、左右が反転されるため、例えば鏡５１１の右側に反転像６０２の一部分（像６０１の一部分）が表示される状態となる。
【００７１】
なお、図１１Ａや図１２Ｂにおいては、何も表示されない領域のように図示されている部分があるが、例えば、図１２Ｂにおいて、２次元発光素子アレイ５００の左側には反転像６０２の一部分が表示され、右側領域は空白とし、何も表示されない領域のように図示してあるが、説明の都合上、そのように図示してあるだけであり、実際には表示されている。例えば、図１２Ｂにおいては、有効視点範囲θ１の右側には、次の有効視点範囲θ３があるため、その有効視点範囲θ３で提供される画像が、空白として図示されている領域に表示される。
【００７２】
このように、鏡５１１乃至５１３で反射された画像がユーザに提供されることを考慮し、ユーザに提供したい画像の左右が反転された画像が、２次元発光素子アレイ５００に表示される。また、複数の鏡、この場合、鏡５１１乃至５１３の３枚の鏡で反射されることで、１枚の画像が提供されることを考慮し、有効視点範囲が切り替わる領域においては、隣接する有効視点範囲で、それぞれ提供する画像が表示される。
【００７３】
［視点が移動したときの処理について］
図９Ｂを参照して説明したように、２次元発光素子アレイ５００と鏡５１１乃至５１３を用いて画像を提供する場合、有効視点範囲と無効視点範囲が存在する。ユーザが有効視点範囲から無効視点範囲に移動することもある。例えば、有効視点範囲から、隣接する無効視点範囲に視点が移動した場合、視点が移動する前後で、同一の画像が見えてしまうなどの不都合が発生してしまう。
【００７４】
立体像表示装置１０においては、立体像表示装置１０を一周するように視点を移動させると、立体像表示装置１０に表示されている画像、例えば車の画像であるような場合、その車のまわりを一周したときに見られる画像が、ユーザに提供されるようにすることができる。有効視点範囲のみを、順次移動しながら一周すれば、このような車の周りを一周したかのような画像を提供することができる。しかしながら、有効視点範囲から、隣接する無効視点範囲に視点が移動した場合などには、例えば、視点が移動したにも係わらず、車の正面の画像が、視点が移動する前後で見えてしまうといったようなことが発生する可能性がある。
【００７５】
立体像表示装置１０には、図１、図２を参照して説明したように、視聴者検出センサ８１が、外装体４１の内部から外部を見通せる位置に取り付けられている。視聴者検出センサ８１は、当該立体像を視聴する視聴者を検出して、視聴有無を判別する際に使用されるようにすることができる。この視聴者検出センサ８１により、視聴者を検出し、検出された視聴者が移動したと判断されるときには、それに対応した処理が行われるようにすることができる。
【００７６】
図１３は、３人の視聴者が、立体像表示装置１０の周りで、立体像表示装置１０に映し出される画像を視聴している状態を示す。視聴者７０１の視点７２１、視聴者７０２の視点７２２、および視聴者７０３の視点７２３は、それぞれの有効視点範囲内に位置する。このようなときには、視聴者７０１乃至７０３は、それぞれ異なる画像を見ることができる。
【００７７】
視聴者７０１が、図１３に示すように、視点７２１から視点７２１’に移動した場合、この移動は、有効視点範囲内であるため、視聴者７０１は、視点が移動後も引き続き適切な画像を見ることができる。よって、このような視点の移動を、視聴者検出センサ８１が検出したとしても、何らかの処理を実行する必要はない。または、有効視点範囲内の視点の移動であっても、移動した分を補正するような処理が行われるようにしても良い。
【００７８】
また、視聴者７０３は、移動していないため、視聴者検出センサ８１が、視聴者７０３の視点移動を検出することはないため、この場合も何らかの処理が実行される必要はない。しかしながら、視聴者７０２が、視点７２２から視点７２２’に移動すると、有効視点範囲外の視点の移動となってしまう。このような場合、視聴者７０２に適切な画像を提供するために、有効視点範囲の移動に関する処理が行われる。
【００７９】
このとき、図１３に示すように、他の視聴者がいる場合、視聴者７０２に適した有効視点範囲を再設定することで、他の視聴者の有効視点範囲が無効視点範囲に設定されてしまう可能性がある。よって、他の視聴者がいるような場合、他の視聴者の有効視点範囲内で、視聴者７０２に適した有効視点範囲の設定が行われる。他の視聴者がいなければ、視聴者７０２に適した有効視点範囲の再設定が行われる。
【００８０】
有効視点範囲の再設定につて、図１４を参照して説明する。図１４Ａは、再設定前の２次元発光素子アレイ５００に表示されている画像（表示画像）と、鏡５１１乃至５１３に反射する画像（出力画像）を示している。また図１４Ｂは、再設定後の２次元発光素子アレイ５００に表示される画像と、鏡５１１乃至５１３に反射する画像を示している。
【００８１】
図１４Ａに示した状態は、図１２Ａに示した状態と同じく、有効視点範囲θ１で提供する画像と、有効視点範囲θ２で提供する画像が、２次元発光素子アレイ５００に表示され、鏡５１１乃至５１３のそれぞれに、像６０１の一部分であり、有効視点範囲θ１で提供する画像と有効視点範囲θ２で提供する画像が連続的に表示された画像が、２枚表示され、その両端には、有効視点範囲θ１で提供する画像または有効視点範囲θ２で提供する画像が表示されている状態である。
【００８２】
このような画像が視聴者７０２に提供されているとき、視聴者７０２の視点７２２が視点７２２’に移動した場合、図１４Ｂに示したような画像が、視聴者７０２に提供されるように、有効視点範囲の再設定が行われる。鏡５１１乃至５１３を基準に考えた場合、視点は、鏡５１１側に移動したため、その移動に対応して有効視点範囲の再設定が行われる。図１４Ｂに示した状況は、図１１Ｂに示した状況に近い状況である。すなわち、図１４に示した例は、図１２Ａに示したように、視点６５１が、有効視点範囲θ１と有効視点範囲θ２の境界近くに位置した状態から、図１１Ｂに示したように、有効視点範囲θ２の中央近くに移動した状態である。
【００８３】
このように、視点が移動した場合、有効視点範囲の再設定は、視点の移動量に応じた分だけ、画像を移動した表示に切り換えられることで行われる。このような視点の検出と、検出された視点に応じた画像の切り換えが行われることで、視聴者に適切な画像を提供することが可能となる。
【００８４】
このように、第２の実施の形態においては、２次元発光素子アレイ５００の発光素子の数を少なくしたので、コストを低減させることができる。発光素子を少なくしても、複数の鏡を用いて、２次元発光素子アレイ５００に表示されている画像を反射してユーザに提供するようにしたので、第１の実施の形態を適用した場合と同じ大きさの画像を、ユーザに提供することができる。
【００８５】
なお、上述した第２の実施の形態においては、３枚の鏡５１１乃至５１３を用いた例を挙げて説明したが、３枚に限定されるわけではなく、複数の鏡を用いることが可能である。また、複数の鏡が用いられる場合、鏡同士の接合部分において、画像の乱れなどが生じないように、接合部分の接続が行われる。また、上記した第２の実施の形態のように、複数の鏡を所定の角度をもって接合するのではなく、第１の実施の形態で示した２次元発光素子アレイ１０１のように、湾曲形状に鏡が加工され、そのような形状の鏡が用いられても良い。
【００８６】
なお、本技術の実施の形態は、上述した実施の形態に限定されるものではなく、本技術の要旨を逸脱しない範囲において種々の変更が可能である。
【００８７】
なお、本技術は以下のような構成も取ることができる。
【００８８】
（１）
回転軸を有する回転部と、
前記回転軸を回転中心として、前記回転部を回転させる駆動部と、
前記回転部に取り付けられ、複数の表示素子が配設される表示部と、
前記表示部から出射される表示光を反射する反射部と、
前記反射部に対向する位置において、前記回転部の周面に設けられたスリットと
を備え、
前記表示光は、前記反射部と前記スリットとを介して前記回転部の外部に放射される
表示装置。
（２）
前記表示部は、略平面形状に構成される
前記（１）に記載の表示装置。
（３）
前記反射部は、複数の鏡で構成される
前記（１）または（２）に記載の表示装置。
（４）
前記回転部は円筒状である
前記（１）乃至（３）のいずれかに記載の表示装置。
（５）
ユーザの視点を検出する検出部をさらに備え、
前記検出部により検出された前記視点が移動したと判断される場合、移動先の視点に適した画像が前記表示部に表示されるように、前記表示部の表示が切り換えられる
前記（１）乃至（４）のいずれかに記載の表示装置。
【符号の説明】
【００８９】
１０  立体像表示装置，  ４１  外装体，  １０２  スリット，  ５００  ２次元発光素子アレイ，  ５１１乃至５１３  鏡
【図１】
2013015685.tif 000003
【図２】
2013015685.tif 000004
【図３】
2013015685.tif 000005
【図４】
2013015685.tif 000006
【図５】
2013015685.tif 000007
【図６】
2013015685.tif 000008
【図７】
2013015685.tif 000009
【図８】
2013015685.tif 000010
【図９】
2013015685.tif 000011
【図１０】
2013015685.tif 000012
【図１１】
2013015685.tif 000013
【図１２】
2013015685.tif 000014
【図１３】
2013015685.tif 000015
【図１４】
2013015685.tif 000016